(57)【要約】【課題】外部からの衝撃を緩和する緩衝機能に優れているとともに、容易且つ低コストで製作、搬送及び廃棄することができる緩衝体及びこれを用いた包装箱を提供する。【解決手段】被包装物６０を包装箱１０の壁面から離した状態で保持し、被包装物６０を衝撃から保護するものである。包装箱１０内に配置され、且つその両端側が包装箱１０の内底面１２側に支持されるとともに、包装箱１０の天井内面１８側に凹部が形成された第１の緩衝部材２０と、包装箱１０内に配置され、且つその両端側が包装箱の天井内面１８側に支持されるとともに、包装箱１０の内底面１２側に凹部が形成された第２の緩衝部材２２とからなるものであり、第１及び第２の緩衝部材２０，２２の凹部同士を対向させて所定の位置ではめ合わせることにより、被包装物６０を収容する収容部が形成される。【選択図】　図１
2004083062.tif 000002
【特許請求の範囲】
【請求項１】
被包装物を包装箱の壁面から離した状態で保持し、被包装物を衝撃から保護する緩衝体であって、
該包装箱内に配置され、且つその両端側が該包装箱の内底面側に支持されるとともに、該包装箱の天井内面側に凹部が形成された第１の緩衝部材と、
該包装箱内に配置され、且つその両端側が該包装箱の天井内面側に支持されるとともに、該包装箱の内底面側に凹部が形成された第２の緩衝部材と、
からなり、
該第１及び第２の緩衝部材の凹部同士を対向させて所定の位置ではめ合わせることにより、被包装物を収容する収容部が形成されてなることを特徴とする緩衝体。
【請求項２】
第１及び第２の緩衝部材の両端側が、凹部に対向する内底面又は天井内面側に対して垂直に折り曲げて形成された脚板を有し、該脚板の両端に配設された側脚板を、所定の角度で折り曲げて、内底面又は天井内面側に配設された繋止孔に、それぞれの側脚板の繋止突起を挿入して、内底面又は天井内面側に脚板を繋止する請求項１に記載の緩衝体。
【請求項３】
第１及び第２の緩衝部材が、１枚のシート状材料で製造されてなる請求項１又は２に記載の緩衝体。
【請求項４】
シート状材料が、厚紙、段ボール紙、プラスチックシート、発泡プラスチックシート、気泡ボード及びプラスチック段ボールのいずれか１つである請求項１〜３のいずれか１項に記載の緩衝体。
【請求項５】
請求項１〜４のいずれか１項に記載の緩衝体を用いたことを特徴とする包装箱。
【発明の詳細な説明】
【０００１】
【発明の属する技術分野】
本発明は、外部からの衝撃に対して被包装物を保護する緩衝体及びこれを用いた包装箱に関する。
【０００２】
【従来の技術】
従来、各種の物流、特に衝撃に対して弱い電子機器や精密機械等の物品を物流に供するために、段ボール紙からなる包装箱が主に用いられている。
このとき、外部から受ける衝撃を吸収し、上記物品を保護するため、物品（被包装物）と包装箱との間には、発泡スチロールからなる緩衝体が配設されている。
【０００３】
しかしながら、発泡スチロールからなる緩衝体は、一般的に、発泡スチロールを被包装物の形状に合わせて成形する工程が必要であり、その製作に手間が掛かるだけでなく、それを搬送する場合、デッドスペースが多いため搬送効率が悪く、また、焼却する場合、発泡スチロールから有害な燃焼ガスが発生すること、更に、廃棄する場合、土中では分解され難いため、廃棄物公害の原因となってしまうことなど種々の問題点があった。
【０００４】
このような問題点を解消するため、板紙、段ボール紙、プラスチックシート等のシート状材料を折り曲げて緩衝体を組み立てる試みがなされている。
しかしながら、従来のシート状材料からなる緩衝体は、糊付けによって組み立てられた状態で結合されていたり、所要の位置にステッチ止めをして組み立てを行うようにしていたが、組立に工数を要し、コストが増大する欠点があるとともに、使用後の分解が困難であり、リサイクルを妨げる要因となっていた。
【０００５】
更に、従来のシート状材料からなる緩衝体は、例えば、図６に示すように、包装箱に対して被包装物を中空状に保持する際、工程が簡単な脚部構造が採用されているが、取扱いや保管等の状態によって、脚板７２が折れ曲がる恐れがあり、緩衝体７０の緩衝効果が低下してしまうという問題点があった。
【０００６】
【発明が解決しようとする課題】
本発明は、このような従来技術の有する課題に鑑みてなされたものであり、その目的とするところは、外部からの衝撃を緩和する緩衝機能に優れているとともに、容易且つ低コストで製作、搬送及び廃棄することができる緩衝体及びこれを用いた包装箱を提供するものである。
【０００７】
【課題を解決するための手段】
すなわち、本発明によれば、被包装物を包装箱の壁面から離した状態で保持し、被包装物を衝撃から保護する緩衝体であって、該包装箱内に配置され、且つその両端側が該包装箱の内底面側に支持されるとともに、該包装箱の天井内面側に凹部が形成された第１の緩衝部材と、該包装箱内に配置され、且つその両端側が該包装箱の天井内面側に支持されるとともに、該包装箱の内底面側に凹部が形成された第２の緩衝部材と、からなり、該第１及び第２の緩衝部材の凹部同士を対向させて所定の位置ではめ合わせることにより、被包装物を収容する収容部が形成されてなることを特徴とする緩衝体が提供される。
このとき、第１及び第２の緩衝部材の両端側は、凹部に対向する内底面又は天井内面側に対して垂直に折り曲げて形成された脚板を有し、脚板の両端に配設された側脚板を、所定の角度で折り曲げて、内底面又は天井内面側に配設された繋止孔に、それぞれの側脚板の繋止突起を挿入して、内底面又は天井内面側に脚板を繋止することが好ましい。
【０００８】
また、本発明では、第１及び第２の緩衝部材が、１枚のシート状材料で製造されてなることが好ましい。
このとき、上記シート状材料は、厚紙、段ボール紙、プラスチックシート、発泡プラスチックシート、気泡ボード及びプラスチック段ボールのいずれか１つであることが好ましい。
【０００９】
更に、本発明では、上記緩衝体を用いたことを特徴とする包装箱が提供される。
【００１０】
【発明の実施の形態】
以下、本発明の実施の形態を図面に基づいて更に詳細に説明する。
図１は本発明の緩衝体を用いて包装箱を組み立てる過程を示す斜視図、図２は図１のＡ−Ａ断面図、図３は本発明の緩衝体の一例を示す斜視図、図４は本発明の緩衝体を構成する緩衝部材の一例を示す斜視図である。
【００１１】
本発明の緩衝体は、図１に示すように、被包装物６０を包装箱１０の壁面から離した状態で保持し、被包装物６０を衝撃から保護するものである。
上記緩衝体５０（図３参照）は、包装箱１０内に配置され、且つその両端側が包装箱１０の内底面１２側に支持されるとともに、包装箱１０の天井内面１８側に凹部が形成された第１の緩衝部材２０と、包装箱１０内に配置され、且つその両端側が包装箱の天井内面１８側に支持されるとともに、包装箱１０の内底面１２側に凹部が形成された第２の緩衝部材２２とからなるものであり、第１及び第２の緩衝部材２０，２２の凹部同士を（井桁状に）対向させて所定の位置ではめ合わせる（図３参照）ことにより、被包装物６０を収容する収容部が形成されている。
尚、上記緩衝部材２０，２２は、図１に示すように、同一形状のものを使用することが簡便であるが、特に限定されるものではなく、被包装物や包装箱の形状により適宜選択することができる。
【００１２】
また、本発明の緩衝体は、例えば、図１〜３に示すように、第１及び第２の緩衝部材２０，２２の両端側が、凹部に対向する内底面又は天井内面側に対して垂直に折り曲げて形成された脚板３０ａ，３０ｂを有し、脚板３０ａ，３０ｂの両端に配設された側脚板３２ａ，３２ｂを、所定の角度で折り曲げて、内底面又は天井内面側に配設された繋止孔３７ａ，３７ｂに、それぞれの側脚板３２ａ，３２ｂの繋止突起３４ａ，３４ｂを挿入して、内底面又は天井内面側に脚板３０ａ，３０ｂを繋止したことにある（図５参照）。
【００１３】
これにより、本発明の緩衝体は、図２に示すように、包装箱１０内の被包装物６０を中空状に保持することができるため、発泡スチロールを使用することなく、外部からの衝撃を緩和する緩衝機能を有することができる。
また、本発明の緩衝体は、糊付けやステッチ止めをすることなく、容易且つ堅牢に組み立てることができるため、被包装物の重量で脚板が折れ曲がることなく、且つ包装の最終工程までシート材料を打ち抜いて製造したブランクのままでおくことができ、包装材料の輸送・保管にスペースをとらず、使用後の分解やリサイクルも容易である。
更に、本発明の緩衝体を用いた包装箱は、緩衝体と包装箱との間に中空部を有するため、断熱効果に優れており、野菜、果物類等の生鮮食品の搬送にも好適に用いることができる。
【００１４】
ここで、本発明の緩衝体を構成する第１及び第２の緩衝部材は、例えば、図５に示すように、一枚のシート状材料で製造されたブランクを組み立てたものが使用される。
ここで、図５に示すブランクは、繋止孔３７ａ，３７ｂが穿設された保持部３５の長手方向の両端に所定の位置に配置されたスリット３６ｂを備えた支持部３８ａ，３８ｂと、その対向する他方の両端に脚板３０ａ，３０ｂとを備えたものである。
脚板３０ａ，３０ｂの両端には、繋止突起３４ａ，３４ｂを備えた側脚板３２ａ，３２ｂが伸びている。
【００１５】
ブランクの組立は、支持部３８ａ，３８ｂを保持部３５に対して垂直になるように折り曲げた後、支持部３８ａ，３８ｂの立ち上がった面と対向した面に、脚板３０ａ，３０ｂを垂直になるように折り曲げた後、側脚板３２ａ，３２ｂを、所定の角度に折り曲げて、保持部３５に配設された繋止孔３７ａ，３７ｂに、それぞれの側脚板３２ａ，３２ｂの繋止突起３４ａ，３４ｂを挿入して、保持部３５に脚板３０ａ，３０ｂを繋止することにより、本発明の緩衝体を構成する緩衝部材を形成する。
【００１６】
以上のことから、シート状材料からなるブランクから緩衝部材を組み立てる場合、接着剤もステープルも必要なく、使用の直前まで平たいブランクのままでよいから、未使用時の容積も小さくすることができるため、取り扱いや輸送を有利に行うことができる。
【００１７】
尚、シート状材料は、厚紙、段ボール紙、プラスチックシート、発泡プラスチックシート、気泡ボード及びプラスチック段ボールから選んだものが適当である。
ここで、プラスチック段ボールは、例えば、ポリプロピレン（ＰＰ）を主原料とするプラスチック段ボールであることが好ましい。
また、気泡ボードは、特に限定されないが、例えば、ポリプロピレン（ＰＰ）又は高密度ポリエチレン（ＰＥ）を主原料とする気泡ボード（プラパール）であることが好ましい。
【００１８】
【発明の効果】
以上説明した通り、本発明の緩衝体及びこれを用いた包装箱は、外部からの衝撃を緩和する緩衝機能に優れているとともに、容易且つ低コストで製作、搬送及び廃棄することができる。
【図面の簡単な説明】
【図１】本発明の緩衝体を用いて包装箱を組み立てる過程を示す斜視図である。
【図２】図１のＡ−Ａ断面図である。
【図３】本発明の緩衝体の一例を示す斜視図である。
【図４】本発明の緩衝体を構成する緩衝部材の一例を示す斜視図である。
【図５】本発明の緩衝体を構成する緩衝部材の展開図である。
【図６】従来の緩衝体の一例を示す斜視図である。
【符号の説明】
１０…包装箱、
１２…内底面、
１８…天井内面、
２０…第１の緩衝部材、
２２…第２の緩衝部材、
３０ａ，３０ｂ…脚板、
３２ａ，３２ｂ…側脚板、
３４ａ，３４ｂ…繋止突起、
３５…保持部、
３６ａ，３６ｂ…スリット、
３７ａ，３７ｂ…繋止孔、
３８ａ，３８ｂ…支持部、
５０…緩衝体、
６０…被包装物、
７０…緩衝体、
７２…脚板。
【図１】
2004083062.tif 000003
【図２】
2004083062.tif 000004
【図３】
2004083062.tif 000005
【図４】
2004083062.tif 000006
【図５】
2004083062.tif 000007
【図６】
2004083062.tif 000008